(57)【要約】      （修正有）【課題】播種や定植に係る作業を省力化するとともに、運搬が容易な培地を提供する。【解決手段】培地Ａは、下土１と、下土１の上に播種された種子３と、下土１の上に、種子３を覆うように積層された覆土２と、を備えている。培地Ａは、下土１と覆土２とが一体的に固形化されている。また、少なくとも下土１の下面の一部と、少なくとも覆土２の上面の一部とを覆うように水溶紙４で包囲されている。【選択図】図１
0003222449.tif 000002
【実用新案登録請求の範囲】
【請求項１】
下土と、
前記下土の上に播種された種子と、
前記下土の上に、前記種子を覆うように積層された覆土と、を備え、
前記下土と前記覆土とは一体的に固形化されている培地。
【請求項２】
少なくとも下記下土の下面の一部と、少なくとも下記覆土の上面の一部とを覆うように水溶紙で包囲されている請求項１記載の培地。
【考案の詳細な説明】
【技術分野】
【０００１】
本考案は、植物体の育苗に用いる培地に関する。
【背景技術】
【０００２】
従来、植物体の苗を育てる際には、まず、播種の段階として、培土等を入れたプランター等の栽培容器や苗床に、略等間隔に種を播き、その上を覆土で覆っている。ここで、種子の品種等によって適した覆土の厚みがあるため、留意しなければならない。その後、発芽すると、ビニールポット等に移植して、さらに育苗したり、定植したりしている。
【０００３】
一方、近年、農家等では人手不足や高齢化が進んでおり、農作業を省力化することが求められている。そこで、特許文献１では上述の播種、育苗の作業を簡略化するための栽培ユニットが提案されている。
【０００４】
この栽培ユニットは、容器に床土を入れ、その床土の上に固形化された覆土を被せている。また、床土と覆土との間に種子を入れておくことも開示されている。このような構成により、播種や苗の移動が容易になっている。
【先行技術文献】
【特許文献】
【０００５】
【特許文献１】特開平１０−２１５６９８号公報
【考案の概要】
【考案が解決しようとする課題】
【０００６】
上述したように、特許文献１の栽培ユニットでは播種等の省力化を図ることはできる。しかしながら、この栽培ユニットは容器を含んでいるため、一度に運搬できる量が制限され、運搬の手間がかかる。
【０００７】
本考案は上記課題に鑑みてなされたものであり、その目的は、播種や定植に係る作業を省力化するとともに、運搬が容易な培地を提供することにある。
【課題を解決するための手段】
【０００８】
上記課題を解決するための培地の好適な実施形態の一つでは、下土と、前記下土の上に播種された種子と、前記下土の上に、前記種子を覆うように積層された覆土と、を備え、前記下土と前記覆土とは一体的に固形化されている。
【０００９】
この構成では、一体的に固形化された下土と覆土との間に種子が播種されているため、この培地を苗床に置き、水を与えるだけで育苗を行うことができ、播種や定植の手間を省くことができる。また、下土と覆土とが一体的に固形化されているため、積層等することが可能である。そのため、保管場所の面積を小さくすることができ、また、容易に一度に多くの培地を運搬することができる。さらに、種子は水を与えるまで発芽しないため、長期保存しておくことができる。
【００１０】
本考案に係る培地の好適な実施形態の一つでは、少なくとも下記下土の下面の一部と、少なくとも下記覆土の上面の一部とを覆うように水溶紙で包囲されている。
【００１１】
この構成では、一体的に固形化されている培地がさらに水溶紙で包囲されているため、培地が崩れることを防止でき、取り扱いが容易となる。
【００１２】
本考案に係る培地の好適な実施形態の一つでは、前記下土および前記覆土の少なくとも一方に竹粉が含まれている。
【００１３】
竹粉は土よりも軽量であるため、下土や覆土に含まれる土の一部または全部を竹粉に代えることにより、軽量化を図ることができる。また、竹粉には殺菌効果があることが判明しているため、殺菌のために使用する薬剤を削減することができる。
【図面の簡単な説明】
【００１４】
【図１】（ａ）培地の斜視図、（ｂ）培地の断面図である。
【図２】培地の生産工程を示す図である。
【図３】別実施形態における培地の斜視図である。
【考案を実施するための形態】
【００１５】
以下に図面を用いて、本考案に係る培地の実施形態を説明する。本実施形態では、水稲用培地として説明するが、本考案に係る培地は野菜，果物，花卉をはじめとして種子から育苗する様々な植物体に使用することができる。
【００１６】
図１（ａ）は本実施形態における培地の斜視図である。図に示すように、本実施形態における培地Ａは平面視が長方形の板状に固形化されている。本実施形態では、培地Ａの平面視の大きさは一般的な水稲用育苗トレーの大きさに適合させ、５８ｃｍ×２８ｃｍ程度としている。また、本実施形態では、培地Ａの厚みは約３ｃｍとしている。当然ながら、培地Ａの平面視形状，大きさおよび厚みは、使用する育苗トレーの大きさや使用する種子等に応じて適宜変更可能である。
【００１７】
図１（ｂ）は本実施形態における培地Ａの断面図である。図に示すように、培地Ａは下土１と覆土２との２層構造になっている。下土１と覆土２とは同じ材料を含んでいるが、厚みが異なっている。具体的には、下土１の厚みが覆土２の厚みよりも厚くなっており、覆土２の厚みは使用する種子に適したものとなっている。
【００１８】
下土１と覆土２との間には種籾３(本考案における種子の例)が播種されている。換言すると、培地Ａは下土１と覆土２との間に種籾３を挟み込んだ構成となっている。
【００１９】
本実施形態における下土１および覆土２は、竹粉，竹炭，ケイ酸カルシウム，ビートモス，鹿沼土，米糠，肥料，バインダ等と適量の水を含む混合物から構成されている。当然ながら、混合物の配合物は使用する種子等に応じて適宜変更することができる。また、竹粉は青竹を長さが３ｍｍ程度の繊維状に加工したものを使用している。
【００２０】
図１（ｂ）に示すように、培地Ａは水溶紙４で覆われている。本実施形態では、板状の培地Ａの全ての面が水溶紙４で覆われている。すなわち、培地Ａは水溶紙４で包まれている。水溶紙４は当然ながら水溶性であるため、培地Ａを用いて育苗する際の遣水によって溶解する。したがって、培地Ａが包まれていたとしても発芽を阻害することはない。そのため、発芽時期までに溶解する水溶紙４を選択することが望ましい。
【００２１】
このように、培地Ａは板状に固形化されているため、積層して保管することができ、運搬も容易になる。また、育苗トレーで育苗する際にも、板状の培地Ａを育苗トレーに移すだけでよく、従来の粒状培地を用いた場合に比べて、省力化が可能となっている。
【００２２】
また、培地Ａに種籾３が播種されているため、従来のように、育苗トレーに培地を作った後に播種したり、発芽後に定植したりする必要がなく、省力化することができる。
【００２３】
さらに、培地Ａは水溶紙４で包まれているため、培地Ａを保管したり、運搬したりする際に下土１や覆土２が崩れにくくなっている。そのため、培地Ａの取り扱いが容易になる。
【００２４】
上述したように、本実施形態では、下土１および覆土２には竹粉が含まれている。竹粉には殺菌効果があることが判明しており、殺菌するための薬剤の使用量を削減することができる。また、竹粉を用いることによって、軽量化を図ることができるため、運搬等を省力化することができる。さらに、このような竹の利用範囲の拡大によって、近年問題となっている放置竹林の解消にも寄与することも期待できる。
【００２５】
次に、図２を用いて培地Ａを生産する工程を説明する。まず、型枠Ｃに下土１の材料となる混合物をほぼ平らになるように投入する（図２（ａ））。次に、混合物を加圧し、下土１を成型する（図２（ｂ））。下土１が硬すぎると育苗の際に根の生育が阻害されるため、下土１を崩れない程度に固形化する圧力を加えることが望ましい。
【００２６】
次に、固形化された下土１の上に種籾３を播種する（図２（ｃ））。そして、その上に覆土２となる混合物をほぼ平らになるように投入し（図２（ｄ））、上から加圧して（図２（ｅ））板状の培地Ａに成型する（図２（ｆ））。
【００２７】
なお、ここでは、播種の間隔や覆土２の厚みは種籾３に適したものとしているが、これらは使用する種子３の種類に応じて適したものとすればよい。
【００２８】
その後、培地Ａを型枠Ｃから取り出し、乾燥させる。乾燥は様々な方法を用いることができ、例えば、天日干しやフリーズドライ等の方法を用いることができる。培地Ａは湿った状態では十分に固形化されていないが、この乾燥の過程において培地Ａは適度な硬さに固形化される。乾燥が完了すると、培地Ａを水溶紙４で包み、培地Ａが完成する。
【００２９】
〔別実施形態〕
（１）上述の実施形態では、培地Ａは平面視形状が矩形となるように成型したが、平面視形状が円形等他の形状となるように成型しても構わない。
【００３０】
（２）上述の実施形態では、培地Ａの全体を水溶紙４で覆ったが、水溶紙４で培地Ａを部分的に覆っても構わない。例えば、図３（ａ）に示す例では、培地Ａの６面のうち、下面と上面と対向する２つの側面の４面が水溶紙４で覆われている。この場合には、培地Ａの４つの側面のうち、培地Ａの平面視における長辺側の側面は水溶紙４で覆い、短辺側の側面が水溶紙４で覆われないようにすることが好ましい。また、図３（ｂ）に示す例では、培地Ａは長手方向にバンド状に巻かれた水溶紙４と短手方向にバンド状に巻かれた水溶紙４とで部分的に覆われている。
【産業上の利用可能性】
【００３１】
本考案は、様々な植物体の種子からの育苗に利用することができる。
【符号の説明】
【００３２】
Ａ：培地
１：下土
２：覆土
３：種籾（種子）
４：水溶紙
【図１】
0003222449.tif 000003
【図２】
0003222449.tif 000004
【図３】
0003222449.tif 000005